(57)【要約】【課題】  画像を読み取って得た画像ファイルの送信時において、そのファイル変換作業を自動的に、かつ簡単・迅速に行うことができる通信端末装置を提供すること。【解決手段】  ユーザーが、画像や文書ファイルを、端末装置に保存する際に、保存に適した方式で保存する。それとは別に、送信時において最適になるような方式を、プロパティなど情報ファイルとし、そのプロパティを、その画像や文書ファイルに添付して、同時に保存する。【選択図】        図１
2007053600.tif 000002
【特許請求の範囲】
【請求項１】
通信回線に接続された、モバイルＰＣや文書読み取り機能を備えた画像読み取り装置を含む通信端末装置において、
ユーザーが、画像や文書ファイルを、前記端末装置に保存する手段と、
保存に最適な方式で保存する手段と、
それとは別に、送信時において最適になるような方式を、プロパティなど情報ファイルとする手段と、
プロパティを、その画像や文書ファイルに添付して、同時に保存する手段と、
を備えていることを特徴とする通信端末装置。
【請求項２】
送信時において最適になるようなファイル方式を、プロパティなど情報ファイルとする手段と、プロパティを、その画像や文書ファイルに添付して、同時に保存する手段と、を持っているとき、前記ファイル情報を送信に最適な方式の範囲内で、一定のファイルサイズに収まるように自動的に決定する手段と、を備えていることを特徴とする請求項１記載の通信端末装置。
【請求項３】
送信時において最適になるようなファイル方式を、プロパティなど情報ファイルとする手段と、プロパティを、その画像や文書ファイルに添付して、同時に保存する手段と、を持っているとき、前記ファイル情報を送信に最適なサイズや解像度、圧縮率の方式の範囲内で、そのファイルサイズを設定により任意に選択可能とする手段と、を備えていることを特徴とする請求項１記載の通信端末装置。
【請求項４】
通信回線に接続された通信端末装置において、
ユーザーが、画像や文書ファイルを、前記端末装置に保存する手段と、
保存に最適な方式で保存する一方で、それとは別に、送信時において最適になるような方式を、共通の固有値として、予め前記端末装置の送信相手に対応したレジスタに記憶している手段と、
その後、実際の送信開始前にその共通の固有値を参照し、一義的に、そのファイル方式にて変換する手段と、
を備えていることを特徴とする通信端末装置。
【請求項５】
送信時において最適になるような方式を、共通の固有値として、予め前記端末装置に記憶する手段と、その後、実際の送信開始前にそのプロパティを参照して、送信時に最適な方式に、ファイル方式を変換し終えてから送信手順を開始手段と、を備えていることを特徴とする請求項４記載の通信端末装置。
【請求項６】
通信回線に接続された通信端末装置において、
ユーザーが画像や文書ファイルを、前記端末装置に保存する手段と、
保存に最適な方式で保存する一方で、それとは別に、送信時において最適になるようなファイルに変換してから、前記画像や文書ファイルを保存する手段と、
を備えていることを特徴とする通信端末装置。
【請求項７】
送信時において最適になるような方式でも、前記画像や文書ファイルを変換してから保存する手段と、送信時において最適になるような方式のファイルサイズは、前記保存に最適な方式よりも小さくなるように保存する手段と、を備えていることを特徴とする請求項６記載の通信端末装置。
【請求項８】
送信時において最適になるような方式でも、前記画像や文書ファイルを変換してから保存する手段と、送信時において最適な方式の範囲内で、そのファイルサイズを設定により任意に選択可能な手段と、を備えていることを特徴とする請求項６記載の通信端末装置。
【発明の詳細な説明】
【技術分野】
【０００１】
本発明は、通信回線に接続された端末装置において、画像や文書ファイルを保存する時に、保存に最適な方式で保存する一方で、送信時においても、最適になるような、方式（ファイルサイズ、画像の解像度、圧縮率など）をプロパティなど情報ファイルとして、または実際に変換完了したファイルとして、保存することで、送信時の生産性を向上させるものである。
【背景技術】
【０００２】
従来は、画像を最高画質で保存した時には、それがＪＰＥＧなどの圧縮ファイルであっても、それをそのままのサイズで送信すると、ファイルサイズが大きくなり送信時間が非常にかかった。また文書ファイルにおいても、保存に適したファイル方式ではファイルサイズが大きくなるので、その都度、Ｚｉｐなどの圧縮ファイルに変換してから送信していた（例えば、特許文献１参照）。
【特許文献１】特開２００３−１６０１７号公報
【発明の開示】
【発明が解決しようとする課題】
【０００３】
しかしながら、大きなファイルサイズのまま送信すると、迅速な送信動作が要求される時は、送信時間が非常にかかるので生産性が落ち、また、大きなファイルを送信する事で、送信先相手装置の保存エリアを不要に圧迫するなどの問題点があった。
【０００４】
更に、その該当ファイルをより小さいサイズに変換してから送信しようとすると、送信の都度、その該当ファイルを開いて再度保存したりなど、その変換作業が非常に煩雑で時間もかかり面倒であるなどの問題点があった。
【０００５】
そこで、本発明は、画像を読み取って得た画像ファイルの送信時において、そのファイル変換作業を自動的に、かつ簡単・迅速に行うことができる通信端末装置を提供することを目的とする。
【課題を解決するための手段】
【０００６】
上記目的を達成するため、本発明に係る通信端末装置は、通信回線に接続された、モバイルＰＣや文書読み取り機能を備えた画像読み取り装置を含む通信端末装置において、ユーザーが、画像や文書ファイルを、前記端末装置に保存する手段と、保存に最適な方式で保存する手段と、それとは別に、送信時において最適になるような方式を、プロパティなど情報ファイルとする手段と、プロパティを、その画像や文書ファイルに添付して、同時に保存する手段と、を備えていることを特徴とする。
【０００７】
また、本発明に係る通信端末装置は、通信回線に接続された通信端末装置において、ユーザーが、画像や文書ファイルを、前記端末装置に保存する手段と、保存に最適な方式で保存する一方で、それとは別に、送信時において最適になるような方式を、共通の固有値として、予め前記端末装置の送信相手に対応したレジスタに記憶している手段と、その後、実際の送信開始前にその共通の固有値を参照し、一義的に、そのファイル方式にて変換する手段と、を備えていることを特徴とする。
【０００８】
また、本発明に係る通信端末装置は、通信回線に接続された通信端末装置において、ユーザーが画像や文書ファイルを、前記端末装置に保存する手段と、保存に最適な方式で保存する一方で、それとは別に、送信時において最適になるようなファイルに変換してから、前記画像や文書ファイルを保存する手段と、を備えていることを特徴とする。
【発明の効果】
【０００９】
本発明によれば、通信回線に接続された端末装置において、画像や文書ファイルを保存する時に、保存に最適な方式で保存する一方で、送信時においては、相手装置に合わせて、送信に最適になるようなファイル方式（ファイルサイズ、画像の解像度、圧縮率、ファイル方式など）で、簡単・迅速にデータ送信する事が可能となる。
【００１０】
また送信時に、相手送信先を格納した、電子電話帖などワンタッチボタンに対応したレジスタにそのファイル方式の設定を格納できるので、送信動作時間の短縮が可能となる。
【００１１】
このように、画像を読み取って得た画像ファイルの送信時において、そのファイル変換作業を自動的に、かつ簡単・迅速に行うことができる。
【発明を実施するための最良の形態】
【００１２】
以下に図面を参照して、本発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１３】
図１は本実施形態の特徴を最もよく表す図である。１は、装置外部から、保存・送信するための原稿や画像を読み取る為の画像読み取り入力部である。２は、１の画像読み取り入力部を制御する読み取り制御部である。３は、装置外部から、ファイルデータのまま入力する、画像や文書ファイルのファイルデータである。
【００１４】
４は、３のファイルデータを入力するファイル入力部である。５は、４のファイル入力部をはじめ、通信端末装置全体を制御する制御部である。６は、先に保存した、画像や文書ファイルの解像度やファイル形式を変換したり、ファイルサイズを圧縮するファイル形式変換部である。
【００１５】
７は、画像や文書ファイルのファイル形式を管理するファイル管理部である。８は、保存のための画像やファイルを実際に保存しているファイル保存部である。９は、これら全体を制御している中央処理演算装置であるＣＰＵである。
【００１６】
１０は、保存した画像や文書ファイルを通信するための通信管理制御部である。１１は、通信のための発呼動作やネットワークを接続・制御するためのネットワーク接続部である。１２は、通信端末を操作するときに、状況を表示したり音声で可聴させる制御部であり、ユーザーインタフェースをつかさどる操作部である。
【００１７】
１３は、前記ネットワーク接続部１１に接続されて相手受信装置と通信するための、ネットワーク回線である。１４は、前記ネットワーク回線１３に接続され、送信した情報を受信する相手受信装置である。
【００１８】
次に、上記構成において、図２のフローチャートにより動作を順に説明する。
【００１９】
Ｓ１：まず、通信端末の中に、アクセスしている画像や文書ファイルがあるかどうか？を判断する。該当ファイルが無いときはスタートに戻る。
【００２０】
Ｓ２：ここで、ファイルがあるなら、そのファイルを保存するかどうか判断する。
【００２１】
Ｓ３：もし、保存すべきファイルがある時は、非圧縮データなど保存に最適なファイル方式で保存する。またここでいうところの保存に適したファイルとは、自己の通信端末で読み出し・保存が可能なファイル形式を含んでいる。
【００２２】
Ｓ４：更に、保存したファイルのサイズを判断して、そのサイズが任意の値：Ｎよりも小さいかどうか判断する。もしここで、そのサイズが、設定値：Ｎより小さかった場合は、そのまま終了する。ここで、任意の値：Ｎは、外部設定より任意に変更可能とする。
【００２３】
Ｓ５：Ｓ４で、ファイルサイズが設定値：Ｎより大きかった場合は、ファイル形式を判断する。先のＳ３で保存したファイル形式が、非圧縮データなどサイズの大きいファイル方式かどうかを判断する。
【００２４】
Ｓ６：Ｓ５で、保存したファイルサイズが、非圧縮データの時は、ファイルフラグＦを１にセットする。
Ｓ７：Ｓ４で、保存したファイルサイズが、設定値：Ｎより大きく、Ｓ５で、保存したファイル方式が、非圧縮データの時、つまり、ファイルフラグＦが０である時は、ファイルを圧縮し、更に、設定値：Ｎよりサイズが小さくなるようにリダクションをする設定のみを記憶させる。
【００２５】
また、Ｓ４で、保存したファイルサイズが、設定値：Ｎより大きく、Ｓ５で、保存したファイル方式が、圧縮データの時、つまり、ファイルフラグＦが１である時は、設定値：Ｎよりサイズが小さくなるようにリダクションのみをする設定のみを記憶させる。
【００２６】
Ｓ８：Ｓ７で記憶させたファイル変換方式の設定のみを情報ファイルとして、先の保存したフィルと関連付けて同時に保存させる。または、先の保存したファイルの情報ファイルに直接書き込む。
【００２７】
また、ここで、Ｓ７で記憶させたファイル変換方式を情報ファイルとして、保存する一方で、そのファイル方式で変換したファイル自体を複数保存しても良い。
【００２８】
更に、図１の構成において、図３（Ｓ３１〜Ｓ３７）、図４（Ｓ１１〜Ｓ２０）のフローチャートにより動作を順に説明する。
【００２９】
Ｓ３１：画像や文書ファイルを保存した時の、ファイルサイズより容量が小さくなるような、送信時の通信方式（ファイルサイズ、画像の解像度、圧縮率など）を、プロパティなど情報ファイルとして、予め送信相手先に対応した内部レジスタＲ：やワンタッチダイヤルボタン（電話やＦＡＸの電子電話帖）に対応したレジスタＡ：Ｂ：Ｃ：などに、個別に初期値として設定する。
【００３０】
Ｓ３２：次に、スタンバイや動作中など新たな通信方式のプロパティが更新されたどうかチェックする。
【００３１】
Ｓ３３：もしＳ３２で、更新があった時は、その送信相手先が、先のワンタッチダイヤルボタンに登録されているかどうか判断する。
【００３２】
Ｓ３４：Ｓ３３で、先のワンタッチダイヤルボタンに登録されていないと判断されたときは、内部レジスタＲ：のみに書き込む。
【００３３】
Ｓ３５：Ｓ３３で、先のワンタッチダイヤルボタンに登録されていると判断されたときは、ワンタッチダイヤルボタンのＡに対応させて、レジスタＡ：にプロパティ情報を書き込む。
【００３４】
Ｓ３６：同様にワンタッチダイヤルボタンのＢに対応させて、レジスタＢ：にプロパティ情報を書き込む。
【００３５】
Ｓ３７：同様にワンタッチダイヤルボタンのＣに対応させて、レジスタＣ：にプロパティ情報を書き込む。
【００３６】
Ｓ１１：次に動作中に、通信端末上で、アクセスしている画像や文書ファイルがあるかどうか？を判断する。該当ファイルが無いときは、画像や文書ファイルを検出するまで、状態を維持する。
【００３７】
Ｓ１２：ここで、ファイルがあるなら、そのファイルを保存するかどうか判断する。
【００３８】
Ｓ１３：もし、保存すべきファイルがある時は、非圧縮データなど保存に最適なファイル方式で保存する。またここでいうところの保存に適したファイルとは、自己の通信端末で読み出し・保存が可能なファイル形式を含んでいる。
【００３９】
Ｓ１４：ここで、そのファイルを送信するかどうかの要求があるか判断する。もしここで、送信要求が無い場合は、そのまま終了する。
【００４０】
Ｓ１５：Ｓ１４で、送信動作が有る場合は、その送信相手先のアドレスなどが格納されているレジスタ：Ｒから送信情報をプロパティとして読み取る。ここで、送信情報には、送信相手の電子メールアドレス、電話番号、ＵＲＬなどの情報や、過去の通信速度などのデータ速度や、受信して判読可能なファイル形式などを含む。更に、レジスタ：Ｒは、電話機やファクシミリ装置などの専用の電話帳、ワンタッチダイヤルに関連付けられていても良い。その場合は、ワンタッチダイヤルボタン（電話やＦＡＸの電子電話帳）に対応したレジスタＡ：Ｂ：Ｃ：などとなる。
【００４１】
Ｓ１６：Ｓ１４で、送信動作がある時は、ファイル形式を判断する。先のＳ１３で保存したファイル形式が、非圧縮データなどサイズの大きいファイル方式かどうかを判断する。
【００４２】
Ｓ１７：Ｓ１６で、保存したファイルサイズが、非圧縮データの時は、ファイルフラグＦを１にセットする。
【００４３】
Ｓ１８：Ｓ１３で、保存したファイルと、Ｓ１５で参照したファイル方式を比較し、更に、Ｓ１７のフラグ：Ｆとを比較し、送信相手先に最適なファイル方式を選択する。具体的には、相手先の情報から、通信速度や受信ボックスなどから最適なファイルサイズを識別して、必要に応じてリダクションする。また、相手がアクセス可能なファイル方式を識別して、その方式にファイル変換をする。
【００４４】
Ｓ１９：Ｓ１８のファイル変換動作が完了したかどうか判断する。
【００４５】
Ｓ２０：ここで、ファイル変換作業が完了すると、実際の通信の呼を接続させて、送信相手先との送信動作を開始する。
【図面の簡単な説明】
【００４６】
【図１】本発明の本実施形態の特徴を最もよく表す図である。
【図２】本発明の実施形態の動作実施例を示したフローチャートである。
【図３】本発明の実施形態の動作実施例を示したフローチャートである。
【図４】本発明の実施形態の動作実施例を示したフローチャートである。
【符号の説明】
【００４７】
１  画像読み取り入力部
２  読み取り制御部
３  ファイルデータ
４  ファイル入力部
５  制御部
６  ファイル形式変換部
７  ファイル管理部
８  ファイル保存部
９  ＣＰＵ
１０  通信管理制御部
１１  ネットワーク接続部
１２  操作部
１３  ネットワーク回線
１４  相手受信装置
【図１】
2007053600.tif 000003
【図２】
2007053600.tif 000004
【図３】
2007053600.tif 000005
【図４】
2007053600.tif 000006